(57)【要約】【課題】１個のスイッチで自動−手動の切り替え，及び運転−停止操作を行なうことができるようにする。【解決手段】ハンドル３と連動する軸棒４と、この軸棒４に取り付けられるとともに凹部１ａ，２ａが設けられた２個のコンタクトカム１，２と、このコンタクトカム１，２の円周上に当接するとともに可動接点６，１３，１７と一体に構成された可動棒５，１１，１５と、可動接点６，１３，１７と対向配置された固定接点８，１２，１６とからスイッチ機構を構成することにより、１つのスイッチ機構で自動モードと手動モードの切り替え、及び手動モードにおける運転操作と停止操作を行なうようにする。【選択図】        図４
2004316543.tif 000002
【特許請求の範囲】
【請求項１】
ポンプを自動的に動作させる自動モードと、上記ポンプを手動により操作させる手動モードとを有する床排水ポンプ制御装置であって、上記自動モードと上記手動モードの切り替え、及び上記手動モードにおける上記ポンプの運転操作と停止操作を１つのスイッチ機構で行なうことを特徴とする床排水ポンプ制御装置。
【請求項２】
上記スイッチ機構は、ハンドルと連動する軸棒と、この軸棒に取り付けられるとともに凹部が設けられた２個のコンタクトカムと、このコンタクトカムの円周上に当接するとともに可動接点と一体に構成された可動棒と、上記可動接点に対向配置された固定接点とを備えたことを特徴とする請求項１記載の床排水ポンプ制御装置。
【請求項３】
上記軸棒は一方のコンタクトカムと切り離すことができるように構成されたことを特徴とする請求項２記載の床排水ポンプ制御装置。
【請求項４】
上記スイッチ機構は、レバーと連動する軸棒と、この軸棒に取り付けられるとともに凹部が設けられた２個のコンタクトカムと、このコンタクトカムの円周上に当接するとともに可動接点と一体に構成された可動棒と、上記可動接点に対向配置された固定接点とを備えたことを特徴とする請求項１記載の床排水ポンプ制御装置。
【請求項５】
上記レバーが上記自動モードに設置されたとき、この自動モードにロックするためのロック機構を設けたことを特徴とする請求項４記載の床排水ポンプ制御装置。
【発明の詳細な説明】
【０００１】
【発明の属する技術分野】
この発明は、床排水ポンプに用いる制御装置に関するものであり、特に１つのスイッチで自動と手動の切り替えができるとともに、手動の際には運転と停止操作ができる制御装置に関するものである。
【０００２】
【従来の技術】
従来の床排水ポンプ制御装置は、自動−手動切り替えスイッチ及び運転−停止操作スイッチを各々設置し、自動−手動切り替え及び運転−停止操作は別々のスイッチで行っていた（例えば、特許文献１参照）。
【０００３】
【特許文献１】
特開昭５５−２６０４１公報（第１図）
【０００４】
【発明が解決しようとする課題】
従来の床排水ポンプ制御装置は以上のように構成されていたので、自動と手動の切り替え、及び運転操作と停止操作を行なう場合、自動−手動切り替えスイッチと、運転−停止操作用スイッチの最低２種類のスイッチが必要であり、取付けスペースも２個分必要であるという問題点があった。
【０００５】
この発明は、上記のような課題を解決するためになされたものであり、１種類のスイッチで自動−手動切り替え及び運転−停止操作を行なうことができるようにすることにより、コストを削減し、更には取付けスペースを少なくすることができる床排水ポンプ制御装置を提供することを目的とする。
【０００６】
【課題を解決するための手段】
この発明の請求項１に係る床排水ポンプ制御装置は、ポンプを自動的に動作させる自動モードと、ポンプを手動により操作させる手動モードとを有するものであって、自動モードと手動モードの切り替え、及び手動モードにおけるポンプの運転操作と停止操作を１つのスイッチ機構で行なうものである。
【０００７】
【発明の実施の形態】
実施の形態１．
以下、この発明の一実施形態を図に基づいて説明する。
図１はこの発明の実施の形態１による床排水ポンプ制御装置を示す概念図、図２はスイッチ回路図である。
本発明においては、床排水が一定のレベルに達したときにポンプを作動させて排水を促すものであり、自動モードの場合には、フロートスイッチにより一定のレベルに達したことを検知し、ポンプを自動的に作動させるものである。
又、手動モードの場合には、操作者が排水の状態を観察し、手動でポンプを運転させ、あるいは停止させるものである。
そして本発明では、自動モードと手動モードの切り替え、並びに手動モードにおけるポンプの運転操作と停止操作を１つのスイッチで行なうものである。
【０００８】
図３は床排水ポンプ制御装置のスイッチ機構を示す正面図、図４は側面図、図５は背面図、図６は図４のＡ方向から見た正面図、図７は図４のＢ方向から見た正面図、図８はコンタクトカム部を左方向から見た斜視図、図９はコンタクトカム部を右方向から見た斜視図、図１０（ａ），（ｂ）は図４におけるＣ−Ｃ線断面図、図１０（ｃ），（ｄ）は図４におけるＤ−Ｄ線断面図、図１０（ｅ），（ｆ）は図４におけるＥ−Ｅ線断面図、図１０（ｇ），（ｈ）は図４におけるＦ−Ｆ線断面図である。
尚、図１０（ａ），（ｃ），（ｅ），（ｇ）は自動操作モードの状態を示しており、図１０（ｂ），（ｄ），（ｆ），（ｈ）は手動操作モードの状態を示している。
【０００９】
図において、コンタクトカム１，２はハンドル３と連動して動くものであり、軸棒４はハンドル３の動作をコンタクトカム１，２に伝えるものである。
可動棒５はコンタクトカム２の回転運動を上下運動に変換するものであり、可動接点６及びスイッチのケースに固定されている接点バネ７と一体に構成されている。
又、固定接点８は可動接点６に対向して配置されている。
【００１０】
ロック棒９は自動−手動切り替えの手動時以外では、ハンドル３を手前に引く動作ができないようにするためのものであり、ロック棒固定板１０により、ロック棒９はロック位置に固定される。
又、コンタクトカム１の運転スイッチ側にも同様に可動棒１１，固定接点１２，接点バネ１４が設けられており、停止スイッチ側にも可動棒１５，固定接点１６，可動接点１７，接点バネ１８が設けられている。
更にスプリング１９により、ハンドル３は元の位置に自動的に復帰されるようになっている。
【００１１】
次に動作について説明する。
図４において、ハンドル３が実線で示されているときが手動モードであり、点線で示されているときが自動モードである。
自動モードにおいて、ハンドル３を捻回すると、軸棒４を介してコンタクトカム２が連動して回転し、図１０（ｅ）に示すように、コンタクトカム２の凹部２ａに可動棒５がきたときは、可動棒５と可動接点６は接点バネ７に押され、固定接点８と可動接点６が接することにより、自動モードがＯＮとなる。
逆にコンタクトカム２の凸部に可動棒５がきたときは、可動棒５と可動接点６は接点バネ７を押し上げ、固定接点８と可動接点６が外れることにより、自動モードがＯＦＦとなる。
この場合、可動棒１１は図１０（ａ）に示すように、コンタクトカム１により押し上げられた状態にあるので、可動接点１３と固定接点１２は外れた状態となり、運転スイッチはＯＦＦとなっている。
【００１２】
次に自動−手動切り替えで、ハンドル３を捻回して自動モードから手動モードにすることにより、図５に示すように、ロック棒９が点線の状態から実線の状態となり、ロック棒固定板１０を外れ、引き操作が可能となり、ハンドル３を図４の実線の位置まで引くと、それに連動してコンタクトカム１，２も手前に移動し、図４の状態となる。
【００１３】
この状態で運転−停止操作を行なうために、ハンドル３を捻回すると、運転−停止操作用可動棒１１がコンタクトカム１の円周に沿って動くので、上下運動が発生する。
そして図１０（ｄ）の状態では、操作用接点バネ１４を押し上げ、運転−停止操作用可動棒１１に連動して動く運転−停止操作用可動接点１３は、運転−停止操作用固定接点１２と接続されないので、運転スイッチはＯＦＦとなる。
更に図１０（ｄ）の状態から、ハンドル３を捻回することにより、可動膨１１がコンタクトカム１の凹部１ａにきたときは、可動接点１３と固定接点１２とが接するので、運転スイッチはＯＮとなる。
【００１４】
ハンドル３を放すと、スプリング１９により元の位置に戻り、運転−停止操作用可動接点１３と運転−停止操作用固定接点１２が外れる。
尚、運転−停止操作の時、図１０（ｈ）に示すように、可動棒５はコンタクトカム２の凸部円周部分に沿って動くので、可動棒５には上下運動が発生せず、可動接点６と固定接点８が接することはない。
【００１５】
以上のようにこの発明によれば、床排水ポンプ制御装置はスイッチを制御盤に組込んでユニット化したもので、従来床排水ポンプ制御盤で自動−手動切り替え、及び運転−停止操作をそれぞれ行なうため、２個のスイッチが必要であったが、１個のスイッチで両機能を満足することができるため、スイッチの個数を削減することによるコストの削減ができる。
【００１６】
又、従来スイッチ取付けのためのスペースも、自動−手動切り替え及び運転−停止操作のスイッチの２個分必要であったが、１個分の取付けスペースで済むため、取付けスペースも削減することができる。
更には、床排水ポンプ制御装置のサイズを小さくすることができるので、床排水制御装置設置条件を緩和することもできる。
このように制御装置を小さく製作出来ることは、コストダウンに大きく貢献することができ、また、同一機種の生産により汎用性があるので、短納期に対応でき、コスト削減に結びつけることができる。
【００１７】
実施の形態２．
図１１はこの発明の実施の形態２による床排水ポンプ制御装置のスイッチ機構を示す正面図、図１２は側面図、図１３は図１２のＧ方向から見た正面図、図１４は図１２のＨ方向から見た正面図、図１５はコンタクトカム部を左方向から見た斜視図、図１６はコンタクトカム部を右方向から見た斜視図、図１７（ａ），（ｂ）は図１２におけるＪ−Ｊ線断面図、図１７（ｃ），（ｄ）は図１２におけるＫ−Ｋ線断面図、図１７（ｅ），（ｆ）は図１２におけるＬ−Ｌ線断面図、図１７（ｇ），（ｈ）は図１２におけるＭ−Ｍ線断面図である。
尚、図１７（ａ），（ｃ），（ｅ），（ｇ）は自動操作モードの状態を示しており、図１７（ｂ），（ｄ），（ｆ），（ｈ）は手動操作モードの状態を示している。
【００１８】
図１２に示すように、軸棒４は断面四角形型部分４ａと断面円形部分４ｂとからなり、コンタクトカム２においても、断面四角形型凹部２ｂと断面円形凹部２ｃが設けられている。
そして断面四角形型部分４ａが凹部２ｂに嵌合することにより、軸棒４とコンタクトカム２が同時に回転できるようになる。又、断面円形部分４ｂは軸振れを防止するためのものである。
【００１９】
上記実施の形態１においては、自動操作から運転−停止操作への切り替える際に、ハンドル３を引くことにより、コンタクトカム１，２とも同時に手前に移動する場合について説明したが、本実施形態においては、図１２に示すように、ハンドル３と一体構造の軸棒４が、運転−停止操作時にコンタクトカム２より切り離されるようにしたものである。
このように構成することにより、手動操作モードにおいて、コンタクトカム１と、コンタクトカム２が同時に動くことを防ぐことができるため、操作が容易になる。
【００２０】
自動−手動切り替え時は、ハンドル３の操作によりコンタクトカム２のみが動作対象となり、自動−手動切り替えの手動モードにて、ハンドル３を点線の位置から実線の位置に引くことにより、軸棒４がコンタクトカム２より切り離され、自動−手動切り替えが不能となる。そして、コンタクトカム２が運転−停止操作用可動棒１１と接することにより、実施の形態１の場合と同様に運転−停止操作が可能となる。
【００２１】
実施の形態３．
図１８はこの発明の実施の形態３による床排水ポンプ制御装置のスイッチ機構を示す正面図、図１９は側面図、図２０は背面図、図２１は図１９のＮ方向から見た正面図、図２２は図１９のＰ方向から見た正面図、図２３はコンタクトカム部を左方向から見た斜視図、図２４はコンタクトカム部を右方向から見た斜視図、図２５（ａ），（ｂ）は図１９におけるＱ−Ｑ線断面図、図２５（ｃ），（ｄ）は図１９におけるＲ−Ｒ線断面図、図２５（ｅ），（ｆ）は図１９におけるＳ−Ｓ線断面図、図２５（ｇ），（ｈ）は図１９におけるＴ−Ｔ線断面図である。
尚、図２５（ａ），（ｃ），（ｅ），（ｇ）は自動操作モードの状態を示しており、図２５（ｂ），（ｄ），（ｆ），（ｈ）は手動操作モードの状態を示している。
【００２２】
図において、本実施形態においては、ハンドル３の代わりにレバー２０を設けたものである。手動操作モードにおける運転−停止操作は、レバー２０を２０ａ及び２０ｂの位置に捻回することにより、運転−停止操作用可動棒１１が上下し、運転−停止操作用可動接点１３と運転−停止操作用固定接点１２が接触したり、離れたりすることにより、運転スイッチがＯＮ並びにＯＦＦする。
即ち、図１８において、レバー２０の位置においては、図２５（ｄ）の状態に対応しており、レバー２０を２０ａの位置に捻回すると可動棒１１が凹部１ａに当たるようになるので、可動接点１３と固定接点１２が接触し、運転スイッチがＯＮとなり、ポンプが作動する。
【００２３】
レバー２０を２０ａ及び２０ｂの位置から放すと、レバー２０は図２５（ｄ）の状態に戻り、運転−停止操作用可動接点１３と運転−停止操作用固定接点１２の接触はなくなる。
自動モードに切り替える場合、図１９において、レバー２０は実線の状態にあるとき、軸棒４と一体構造のロック棒９は、ロック棒固定板１０から外れているので、レバー２０を点線の位置へ押し込むことが可能となる。
【００２４】
レバー２０を点線の位置にすると、機能するコンタクトカムは、運転−停止操作時に使用される運転−停止操作用コンタクトカム１から自動−手動切り替え時に使用されるコンタクトカム２に切り替わる。
そして図１８に示すように、レバー２０を２０ｃの位置に捻回操作することにより、ロック棒９が図２０に示すように、ロック棒９ａの位置になり、ロック棒固定板１０に掛かり、自動モードにロックされる。
このとき図２５（ｅ）に示すように、可動棒５は凹部２ａに当たるので、可動接点６と固定接点８は接触し、自動スイッチがＯＮとなる。
尚、本実施形態においても、図１２に示すように、軸棒４とコンタクトカム２を切り離すような構成にしてもよい。
【００２５】
実施の形態４．
図２６はこの実施の形態４による床排水ポンプ制御装置のスイッチ機構を示す正面図、図２７は側面図、図２８は図２７のＵ方向から見た正面図、図２９は図２７のＶ方向から見た正面図、図３０はコンタクトカム部を左方向から見た斜視図、図３１はコンタクトカム部を右方向から見た斜視図、図３２（ａ），（ｂ）は図２７におけるＷ−Ｗ線断面図、図３２（ｃ），（ｄ）は図２７におけるＸ−Ｘ線断面図、図３２（ｅ），（ｆ）は図２７におけるＹ−Ｙ線断面図、図３２（ｇ），（ｈ）は図２７におけるＺ−Ｚ線断面図である。
尚、図３２（ａ），（ｃ），（ｅ），（ｇ）は自動操作モードの状態を示しており、図３２（ｂ），（ｄ），（ｆ），（ｈ）は手動操作モードの状態を示している。
【００２６】
図において、ロック２１が軸棒４に取り付けられており、レバー２０とともに回動するように構成されており、このロック２１には凸部２１ａが設けられている。押しボタンスイッチ２２は自動操作から手動操作に切り替える時にロックを解除するためのもので、ロックガイド板２３は自動−手動切り替え時にロック２１の動きをガイドするためのものである。
又、ロックガイド板２３には、ロック２１をガイドするための溝２３ａ，２３ｂが設けられている。スプリング２４はロック２１を元の状態に復帰させるためのものである。
【００２７】
基本的な動作は上記実施の形態３と同様であり、運転−停止操作は、レバー２０を２０ａ及び２０ｂの位置に捻回することにより、運転−停止操作用可動棒１１が上下し、運転−停止操作用可動接点１３と運転−停止操作用固定接点１２が接触したり、離れたりすることにより、運転スイッチがＯＮ並びにＯＦＦする。
又、レバー２０を２０ａ及び２０ｂの位置から放すと、レバー２０は図３２（ｄ）の状態に戻り、運転−停止操作用可動接点１３と運転−停止操作用固定接点１２の接触がなくなることも実施の形態３と同様である。
【００２８】
自動モードに切り替える場合、図２６においてレバー２０は実線の状態にあるとき、レバー２０に設置された自動−手動切り替え用押しボタン２２を押し込むことにより、レバー２０に連動して動くロック２１が、ロックガイド板２３の溝２３ａから外れ、自動−手動切り替えが可能となる。
この状態でレバー２０を図２６に示す２０ｃの位置に捻回し、ロックガイド板２３の自動−手動切り替え用ロック溝２３ｂの位置で、自動−手動切り替え用押しボタン２２を離すと、スプリング２４の復帰力によりロック２１は元の状態に戻り、ロック２１の凸部２１ａがロックガイド板２３の自動−手動切り替え作用ロック溝２３ｂにはまり、自動モードにロックされる。
このように自動モードに確実にロックされることにより、誤作動をなくすことができる。
【００２９】
【発明の効果】
この発明の請求項１に係る床排水ポンプ制御装置によれば、ポンプを自動的に動作させる自動モードと、ポンプを手動により操作させる手動モードとを有するものであって、自動モードと手動モードの切り替え、及び手動モードにおけるポンプの運転操作と停止操作を１つのスイッチ機構で行なうようにしたので、スイッチの個数を減らすことができ、コストの削減並びに取付けスペースの削減を図ることができる。
【図面の簡単な説明】
【図１】この発明の実施の形態１による床排水ポンプ用制御装置を示す概念図である。
【図２】スイッチ回路図である。
【図３】この発明の実施の形態１によるスイッチ機構を示す正面図である。
【図４】この発明の実施の形態１によるスイッチ機構を示す側面図である。
【図５】この発明の実施の形態１によるスイッチ機構を示す背面図である。
【図６】図４のＡ方向から見た正面図である。
【図７】図４のＢ方向から見た正面図である。
【図８】コンタクトカム部を左方向から見た斜視図である。
【図９】コンタクトカム部を右方向から見た斜視図である。
【図１０】図４におけるＣ−Ｃ線断面図（ａ），（ｂ）、Ｄ−Ｄ線断面図（ｃ），（ｄ）、Ｅ−Ｅ線断面図（ｅ），（ｆ）、Ｆ−Ｆ線断面図（ｇ），（ｈ）である。
【図１１】この発明の実施の形態２によるスイッチ機構を示す正面図である。
【図１２】この発明の実施の形態２によるスイッチ機構を示す側面図である。
【図１３】図１２のＧ方向から見た正面図である。
【図１４】図１２のＨ方向から見た正面図である。
【図１５】コンタクトカム部を左方向から見た斜視図である。
【図１６】コンタクトカム部を右方向から見た斜視図である。
【図１７】図１２におけるＪ−Ｊ線断面図（ａ），（ｂ）、Ｋ−Ｋ線断面図（ｃ），（ｄ）、Ｌ−Ｌ線断面図（ｅ），（ｆ）、Ｍ−Ｍ線断面図（ｇ），（ｈ）である。
【図１８】この発明の実施の形態３によるスイッチ機構を示す正面図である。
【図１９】この発明の実施の形態３によるスイッチ機構を示す側面図である。
【図２０】この発明の実施の形態３によるスイッチ機構を示す背面図である。
【図２１】図１９のＮ方向から見た正面図である。
【図２２】図１９のＰ方向から見た正面図である。
【図２３】コンタクトカム部を左方向から見た斜視図である。
【図２４】コンタクトカム部を右方向から見た斜視図である。
【図２５】図１９におけるＱ−Ｑ線断面図（ａ），（ｂ）、Ｒ−Ｒ線断面図（ｃ），（ｄ）、Ｓ−Ｓ線断面図（ｅ），（ｆ）、Ｔ−Ｔ線断面図（ｇ），（ｈ）である。
【図２６】この発明の実施の形態４によるスイッチ機構を示す正面図である。
【図２７】この発明の実施の形態４によるスイッチ機構を示す側面図である。
【図２８】図２７のＵ方向から見た正面図である。
【図２９】図２７のＶ方向から見た正面図である。
【図３０】コンタクトカム部を左方向から見た斜視図である。
【図３１】コンタクトカム部を右方向から見た斜視図である。
【図３２】図２７におけるＷ−Ｗ線断面図（ａ），（ｂ）、Ｘ−Ｘ線断面図（ｃ），（ｄ）、Ｙ−Ｙ線断面図（ｅ），（ｆ）、Ｚ−Ｚ線断面図（ｇ），（ｈ）である。
【符号の説明】
１，２  コンタクトカム、１ａ，２ａ  凹部、３  ハンドル、４  軸棒、５，１１，１５  可動棒、６，１３，１７  可動接点、８，１２，１６  固定接点。
【図１】
2004316543.tif 000003
【図２】
2004316543.tif 000004
【図３】
2004316543.tif 000005
【図４】
2004316543.tif 000006
【図５】
2004316543.tif 000007
【図６】
2004316543.tif 000008
【図７】
2004316543.tif 000009
【図８】
2004316543.tif 000010
【図９】
2004316543.tif 000011
【図１０】
2004316543.tif 000012
【図１１】
2004316543.tif 000013
【図１２】
2004316543.tif 000014
【図１３】
2004316543.tif 000015
【図１４】
2004316543.tif 000016
【図１５】
2004316543.tif 000017
【図１６】
2004316543.tif 000018
【図１７】
2004316543.tif 000019
【図１８】
2004316543.tif 000020
【図１９】
2004316543.tif 000021
【図２０】
2004316543.tif 000022
【図２１】
2004316543.tif 000023
【図２２】
2004316543.tif 000024
【図２３】
2004316543.tif 000025
【図２４】
2004316543.tif 000026
【図２５】
2004316543.tif 000027
【図２６】
2004316543.tif 000028
【図２７】
2004316543.tif 000029
【図２８】
2004316543.tif 000030
【図２９】
2004316543.tif 000031
【図３０】
2004316543.tif 000032
【図３１】
2004316543.tif 000033
【図３２】
2004316543.tif 000034